(57)【要約】【課題】可撓性のある太陽電池モジュールのセル上に封止材を塗布し、発電有効面積を広くした太陽電池モジュールを提供する。【課題手段】可撓性（フレキシビリティー）のある薄膜金属基体を有した太陽電池セルの受光面側に可撓性のあるフロントカバーと、その反対側に可撓性のあるバックカバーが配され、各カバーと前記太陽電池セルとの間に充填樹脂層を設けた構成において、前記充填樹脂層の外周縁部で、前記フロントカバーの端部と前記太陽電池セルの端部に形成した絶縁層との間、および前記バックカバーの端部と前記太陽電池セルの前記薄膜金属基体との間を、耐湿絶縁性能を有する封止材で封止したことを特徴とする太陽電池モジュール。【選択図】　図３
2004146435.tif 000002
【特許請求の範囲】
【請求項１】
可撓性（フレキシビリティー）のある薄膜金属基体を有した太陽電池セルの受光面側に可撓性のあるフロントカバーと、その反対側に可撓性のあるバックカバーが配され、各カバーと前記太陽電池セルとの間に充填樹脂層を設けた構成において、前記充填樹脂層の外周縁部で、前記フロントカバーの端部と前記太陽電池セルの端部に形成した絶縁層との間、および前記バックカバーの端部と前記太陽電池セルの前記薄膜金属基体との間を、耐湿絶縁性能を有する封止材で封止したことを特徴とする太陽電池モジュール。
【請求項２】
太陽電池モジュールの周縁をモジュール枠で組み付け固定する際に、前記太陽電池モジュールと前記モジュール枠を、封止材の弾性を利用して共締めすることを特徴とする請求項１記載の太陽電池モジュール。
【請求項３】
モジュール枠を反受光面側に曲げて、枠周辺部位の受光面積を広くすることを特徴とする請求項２記載の太陽電池モジュール。
【請求項４】
モジュール枠を反受光面側に９０度の角度で曲げたことを特徴とする請求項３記載の太陽電池モジュール。
【請求項５】
太陽電池セルの光吸収層が、Ｃｕと、ＩｎおよびＧａから選ばれる少なくとも１つの元素と、ＳｅおよびＳから選ばれる少なくとも１つの元素とを含むことを特徴とする請求項１記載の太陽電池モジュール。
【請求項６】
太陽電池セルの基体が、ステンレスまたはアルミニウム合金等の金属からなることを特徴とする請求項１記載の太陽電池モジュール。
【請求項７】
可撓性（フレキシビリティー）のある薄膜金属基体を有した太陽電池セルの受光面側に可撓性のあるフロントカバーが配され、該フロントカバーと前記太陽電池セルとの間に充填樹脂層を設けた構成において、前記充填樹脂層の外周縁部で、前記フロントカバーの端部と前記太陽電池セルの端部に形成した絶縁層との間を、耐湿絶縁性能を有する封止材で封止したことを特徴とする太陽電池モジュール。
【請求項８】
太陽電池モジュールの周縁をモジュール枠で組み付け固定する際に、前記太陽電池モジュールと、前記モジュール枠と、前記封止材の弾性を利用して共締めすることを特徴とする請求項７記載の太陽電池モジュール。
【請求項９】
モジュール枠を反受光面側に曲げて、枠周辺部位の受光面積を広くすることを特徴とする請求項８記載の太陽電池モジュール。
【請求項１０】
モジュール枠を反受光面側に９０度の角度で曲げたことを特徴とする請求項９記載の太陽電池モジュール。
【請求項１１】
太陽電池セルの光吸収層が、Ｃｕと、ＩｎおよびＧａから選ばれる少なくとも１つの元素と、ＳｅおよびＳから選ばれる少なくとも１つの元素とを含む請求項７記載の太陽電池モジュール。
【請求項１２】
太陽電池セルの基体が、ステンレスまたはアルミニウム合金等の金属からなる請求項７記載の太陽電池モジュール。
【請求項１３】
可撓性（フレキシビリティー）のある薄膜金属基体を有した太陽電池セルの受光面側に可撓性のあるフロントカバーを配し、該フロントカバーと前記太陽電池セルを真空密着させる構成とし、前記フロントカバーの端部と前記太陽電池セルの端部に形成した絶縁層との間を、耐湿絶縁性能を有する封止材で封止したことを特徴とする太陽電池モジュール。
【請求項１４】
太陽電池モジュール本体の各端辺毎に封止材の外側で弾性封止材を介してモジュール枠を挿入し、該モジュール枠と、前記弾性封止材と、前記太陽電池モジュール本体を共締めしたことを特徴とする請求項１３記載の太陽電池モジュール。
【請求項１５】
モジュール枠を反受光面側に曲げて、枠周辺部位（部分）の受光面積を広くすることを特徴とする請求項１４記載の太陽電池モジュール。
【請求項１６】
モジュール枠を反受光面側に９０度の角度で曲げたことを特徴とする請求項１５記載の太陽電池モジュール。
【請求項１７】
太陽電池セルの光吸収層が、Ｃｕと、ＩｎおよびＧａから選ばれる少なくとも１つの元素と、ＳｅおよびＳから選ばれる少なくとも１つの元素とを含む請求項１３記載の太陽電池モジュール。
【請求項１８】
太陽電池セルの基体が、ステンレスまたはアルミニウム合金等の金属からなる請求項１３記載の太陽電池モジュール。
【請求項１９】
可撓性（フレキシビリティー）のある薄膜金属基体を有した太陽電池セルの受光面側に可撓性のあるフロントカバーと、その反対側に可撓性のあるバックカバーが配され、前記フロントカバーおよびバックカバーと、前記太陽電池セルを真空密着させる構成とし、前記フロントカバーの周縁部と前記太陽電池セルに形成した絶縁層の周縁部との間、および前記バックカバーの周縁部と前記太陽電池セルの前記薄膜金属基体の周縁部との間を、耐湿絶縁性能を有する封止材で封止したことを特徴とする太陽電池モジュール。
【請求項２０】
太陽電池セルの光吸収層が、Ｃｕと、ＩｎおよびＧａから選ばれる少なくとも１つの元素と、ＳｅおよびＳから選ばれる少なくとも１つの元素とを含む請求項１９記載の太陽電池モジュール。
【請求項２１】
太陽電池モジュールの周縁をモジュール枠で組み付け固定する際に、可撓性（フレキシビリティー）のある薄膜金属基体を有した太陽電池セルで構成された太陽電池モジュールの周縁部から、中央部に向かって受光面側に膨らみを持たせ、排水勾配を配したことを特徴とする太陽電池モジュール枠。
【請求項２２】
太陽電池モジュールの反受光面側から受光面側に向かって、膨らみを設定する補強手段を備えたことを特徴とする請求項２１記載の太陽電池モジュール。
【発明の詳細な説明】
【０００１】
【発明の属する技術分野】
本発明は、可撓性（フレキシビリティー）の薄膜の太陽電池のモジュール構造に関する。
【０００２】
【従来の技術】
従来、この種の薄膜の太陽電池のモジュール構造は、図１７は従来の太陽電池モジュールの周辺端部を示す基体ありの表面フィルム構造の断面図、図１８は従来の太陽電池モジュールの周辺端部を示す基体なしの表裏フィルム構造の断面図、図１９は従来の太陽電池モジュールの周辺端部を示す基体なしの不活性部材封止構造の断面図である。図１７では、フロントカバー１０２は透明な表面フィルム１０３で、バックカバー１０４は基板１０５で構成されている。各カバー１０３、１０５と、太陽電池セル１０７との間に充填樹脂層１０６を設け、透明な表面フィルム１０３が、基板１０５の周辺部の全周にわたって基板１０５に隙間なく接触して、充填樹脂層１０６の周縁の封止を図っている。これにより、周辺端部において充填樹脂層１０６の露出が殆どなく、太陽電池セル１０７まで透過する水分量を激減させる構造となっている。また、従来必要であった端部封止のための別部材も不要となる。
【０００３】
また図１８は、フロントカバー１０２は透明な表面フィルム１０８で、バックカバー１０４は裏面フィルム１０９で構成されている。各カバー１０８、１０９と、太陽電池セル１０７との間に充填樹脂層１０６を設け、透明な表面フィルム１０８が、裏面フィルム１０９の周辺部の全周にわたって裏面フィルム１０９に隙間なく接触して、充填樹脂層１０６の周縁の封止を図っている。これにより、周辺端部において充填樹脂層１０６の露出が殆どなく、太陽電池セル１０７まで透過する水分量を激減させる構造となっている。また、従来必要であった端部封止のための別部材も不要となる。
【０００４】
また図１９は、フロントカバー１０２は透明な表面フィルム１１０で、バックカバー１０４は裏面フィルム１１１で構成されている。各カバー１１０、１１１と、太陽電池セル１０７との間に充填樹脂層１０６を設け、太陽電池モジュール１０１の周辺部で、フロントカバー１０２とバックカバー１０４との間に不活性部材１１２が設けられ、この不活性部材１１２により充填樹脂層１０６の周縁が封止されたものである。図１９は、透明な表面フィルム１１０が、裏面フィルム１１１の周辺部の全周にわたって裏面フィルム１１１に隙間なく接触して、充填樹脂層１０６の周縁の封止を図っている。不活性部材１１２とフロントカバー１０２とバックカバー１０４を設けて太陽電池モジュール１０１を製造することにより、太陽電池モジュール１０１周辺端部のフロントカバー１０２とバックカバー１０４の間の充填樹脂層１０６の露出を殆どなくすることができる。（例えば、特許文献１参照）。
【０００５】
【特許文献１】
特開２００２−１１８２７６号公報（第５頁〜第７頁、第１図、第３図、第図６（ｂ））
【０００６】
【発明が解決しようとする課題】
このような従来の可撓性（フレキシビリティー）のある薄膜の太陽電池モジュールを発電現場に設置する際、太陽電池モジュールをフレームに取り付けることが要求される場合がある。このフレームの取付けを行なう場合に、太陽電池モジュールが図１７の構成では、フロントカバーとバックカバーを合わせて封止するため、充填樹脂層の周縁で封止代が必要となり、表面フィルムと裏面フィルムの接合部分が突起した形状となる。また、図１８の構成では、不活性部材を太陽電池セルの周辺部の外側に設けられるため、太陽電池モジュールの端部は、太陽電池セルに封止代を介して構成されることになる。ここで、フレームを取付ける場合には、太陽電池セル自身が持っている強度を活用するため、フレームは太陽電池セル上に掛かる。その際、これらの封止代の構成分だけフレームが太陽電池セルの端部から離れるため、フレームの掛かり部分が大きくなり、発電有効面積が少なくなるという課題がある。
【０００７】
また、従来の太陽電池モジュールにおいては、各カバーの間に配されている充填樹脂材の強度が強く、廃棄時にリサイクルや分別が出来ないという課題があった。
【０００８】
また、可撓性のある太陽電池モジュールの場合、雨、雪がモジュール表面に溜まるという課題があった。可撓性（フレキシビリティー）のある薄膜金属基体を有した太陽電池セルでは、剛性がないという弊害がある。
【０００９】
そこで本発明はこのような従来の課題を解決するもので、可撓性のある太陽電池モジュールの発電有効面積を拡大することができる太陽電池モジュールを提供することを目的とする。
【００１０】
また、本発明は接着にＥＡＶを用いないことにより、リサイクル性の高い太陽電池モジュールを提供することを目的とする。
【００１１】
また、本発明はモジュール勾配機構を備えることにより、信頼性の高い太陽電池モジュールを提供することを目的とする。
【００１２】
【課題を解決するための手段】
請求項１記載の本発明の太陽電池モジュールは、可撓性（フレキシビリティー）のある薄膜金属基体を有した太陽電池セルの受光面側に可撓性のあるフロントカバーと、その反対側に可撓性のあるバックカバーが配され、各カバーと前記太陽電池セルとの間に充填樹脂層を設けた構成において、前記充填樹脂層の外周縁部で、前記フロントカバーの端部と前記太陽電池セルの端部に形成した絶縁層との間、および前記バックカバーの端部と前記太陽電池セルの前記薄膜金属基体との間を、耐湿絶縁性能を有する封止材で封止したことを特徴とする。
【００１３】
請求項２記載の本発明の太陽電池モジュールは、請求項１記載の太陽電池モジュールにおいて、太陽電池モジュールの周縁をモジュール枠で組み付け固定する際に、前記太陽電池モジュールと前記モジュール枠を、封止材の弾性を利用して共締めすることを特徴とする。
【００１４】
請求項３記載の本発明の太陽電池モジュールは、請求項２記載の太陽電池モジュールにおいて、モジュール枠を反受光面側に曲げて、枠周辺部位の受光面積を広くすることを特徴とする。
【００１５】
請求項４記載の本発明の太陽電池モジュールは、請求項３記載の太陽電池モジュールにおいて、モジュール枠を反受光面側に９０度の角度で曲げたことを特徴とする。
【００１６】
請求項５記載の本発明の太陽電池モジュールは、請求項１記載の太陽電池モジュールにおいて、太陽電池セルの光吸収層が、Ｃｕと、ＩｎおよびＧａから選ばれる少なくとも１つの元素と、ＳｅおよびＳから選ばれる少なくとも１つの元素とを含むことを特徴とする。
【００１７】
請求項６記載の本発明の太陽電池モジュールは、請求項１記載の太陽電池モジュールにおいて、太陽電池セルの基体が、ステンレスまたはアルミニウム合金等の金属からなることを特徴とする。
【００１８】
請求項７記載の本発明の太陽電池モジュールは、可撓性（フレキシビリティー）のある薄膜金属基体を有した太陽電池セルの受光面側に可撓性のあるフロントカバーが配され、該フロントカバーと前記太陽電池セルとの間に充填樹脂層を設けた構成において、前記充填樹脂層の外周縁部で、前記フロントカバーの端部と前記太陽電池セルの端部に形成した絶縁層との間を、耐湿絶縁性能を有する封止材で封止したことを特徴とする太陽電池モジュール。
【００１９】
請求項８記載の本発明の太陽電池モジュールは、請求項７記載の太陽電池モジュールにおいて、太陽電池モジュールの周縁をモジュール枠で組み付け固定する際に、前記太陽電池モジュールと、前記モジュール枠と、前記封止材の弾性を利用して共締めすることを特徴とする。
【００２０】
請求項９記載の本発明の太陽電池モジュールは、請求項８記載の太陽電池モジュールにおいて、モジュール枠を反受光面側に曲げて、枠周辺部位の受光面積を広くすることを特徴とする。
【００２１】
請求項１０記載の本発明の太陽電池モジュールは、請求項９記載の太陽電池モジュールにおいて、モジュール枠を反受光面側に９０度の角度で曲げたことを特徴とする。
【００２２】
請求項１１記載の本発明の太陽電池モジュールは、請求項７記載の太陽電池モジュールにおいて、太陽電池セルの光吸収層が、Ｃｕと、ＩｎおよびＧａから選ばれる少なくとも１つの元素と、ＳｅおよびＳから選ばれる少なくとも１つの元素とを含むことを特徴とする。
【００２３】
請求項１２記載の本発明の太陽電池モジュールは、太陽電池セルの基体が、ステンレスまたはアルミニウム合金等の金属からなる請求項７記載の太陽電池モジュール。
【００２４】
請求項１３記載の本発明の太陽電池モジュールは、可撓性（フレキシビリティー）のある薄膜金属基体を有した太陽電池セルの受光面側に可撓性のあるフロントカバーを配し、該フロントカバーと前記太陽電池セルを真空密着させる構成とし、前記フロントカバーの端部と前記太陽電池セルの端部に形成した絶縁層との間を、耐湿絶縁性能を有する封止材で封止したことを特徴とする太陽電池モジュール。
【００２５】
請求項１４記載の本発明の太陽電池モジュールは、請求項１３記載の太陽電池モジュールにおいて、太陽電池モジュール本体の各端辺毎に封止材の外側で弾性封止材を介してモジュール枠を挿入し、該モジュール枠と、前記弾性封止材と、前記太陽電池モジュール本体を共締めしたことを特徴とする。
【００２６】
請求項１５記載の本発明の太陽電池モジュールは、請求項１４記載の太陽電池モジュールにおいて、モジュール枠を反受光面側に曲げて、枠周辺部位（部分）の受光面積を広くすることを特徴とする。
【００２７】
請求項１６記載の本発明の太陽電池モジュールは、請求項１５記載の太陽電池モジュールにおいて、モジュール枠を反受光面側に９０度の角度で曲げたことを特徴とする。
【００２８】
請求項１７記載の本発明の太陽電池モジュールは、請求項１３記載の太陽電池モジュールにおいて、太陽電池セルの光吸収層が、Ｃｕと、ＩｎおよびＧａから選ばれる少なくとも１つの元素と、ＳｅおよびＳから選ばれる少なくとも１つの元素とを含むことを特徴とする。
【００２９】
請求項１８記載の本発明の太陽電池モジュールは、請求項１３記載の太陽電池モジュールにおいて、太陽電池セルの基体が、ステンレスまたはアルミニウム合金等の金属からなることを特徴とする。
【００３０】
請求項１９記載の本発明の太陽電池モジュールは、可撓性（フレキシビリティー）のある薄膜金属基体を有した太陽電池セルの受光面側に可撓性のあるフロントカバーと、その反対側に可撓性のあるバックカバーが配され、前記フロントカバーおよびバックカバーと、前記太陽電池セルを真空密着させる構成とし、前記フロントカバーの周縁部と前記太陽電池セルに形成した絶縁層の周縁部との間、および前記バックカバーの周縁部と前記太陽電池セルの前記薄膜金属基体の周縁部との間を、耐湿絶縁性能を有する封止材で封止したことを特徴とする太陽電池モジュール。
【００３１】
請求項２０記載の本発明の太陽電池モジュールは、請求項１９記載の太陽電池モジュールにおいて、太陽電池セルの光吸収層が、Ｃｕと、ＩｎおよびＧａから選ばれる少なくとも１つの元素と、ＳｅおよびＳから選ばれる少なくとも１つの元素とを含むことを特徴とする。
【００３２】
請求項２１記載の本発明の太陽電池モジュールは、太陽電池モジュールの周縁をモジュール枠で組み付け固定する際に、可撓性（フレキシビリティー）のある薄膜金属基体を有した太陽電池セルで構成された太陽電池モジュールの周縁部から、中央部に向かって受光面側に膨らみを持たせ、排水勾配を配したことを特徴とする太陽電池モジュール枠。
【００３３】
請求項２２記載の本発明の太陽電池モジュールは、請求項２１記載の太陽電池モジュールにおいて、太陽電池モジュールの反受光面側から受光面側に向かって、膨らみを設定する補強手段を備えたことを特徴とする。
【００３４】
【発明の実施の形態】
本発明の第１の実施の形態による太陽電池モジュールは、可撓性（フレキシビリティー）のある薄膜金属基体を有した太陽電池セルの受光面側に可撓性のあるフロントカバーと、その反対側に可撓性のあるバックカバーが配され、各カバーと前記太陽電池セルとの間に充填樹脂層を設けた構成において、前記充填樹脂層の外周縁部で、前記フロントカバーの端部と前記太陽電池セルの端部に形成した絶縁層との間、および前記バックカバーの端部と前記太陽電池セルの前記薄膜金属基体との間を、耐湿絶縁性能を有する封止材で封止したものである。このように、可撓性のある太陽電池モジュールにフレームを取り付けるに際し、封止材を太陽電池セルの外周縁端部上に設け、太陽電池モジュールの端面を開放端にして取り付けることにより発電有効面積を拡大することができる。従って、軽量で低コスト、且つモジュール効率の高い太陽電池モジュールが得られる。
【００３５】
本発明の第２の実施の形態は、請求項１の実施の形態における太陽電池モジュールにおいて、太陽電池モジュールの周縁をモジュール枠で組み付け固定する際に、前記太陽電池モジュールと前記モジュール枠を、封止材の弾性を利用して共締めしたものである。つまり、封止材の弾性を利用することにより、太陽電池モジュールとモジュール枠との密着性を図ることができる。
【００３６】
本発明の第３の実施の形態は、請求項２の実施の形態における太陽電池モジュールにおいて、モジュール枠を反受光面側に曲げて、枠周辺部位（部分）の受光面積を広くするものである。これにより、受光面の外周縁部がモジュール枠で遮蔽されないため効率の高い太陽電池モジュールを提供できるものである。
【００３７】
本発明の第４の実施の形態は、請求項３の実施の形態における太陽電池モジュールにおいて、モジュール枠を反受光面側に９０度の角度で曲げたものである。
【００３８】
本発明の第５の実施の形態は、請求項１の実施の形態における太陽電池モジュールにおいて、太陽電池セルの光吸収層が、Ｃｕと、ＩｎおよびＧａから選ばれる少なくとも１つの元素と、ＳｅおよびＳから選ばれる少なくとも１つの元素とを含むものである。
【００３９】
本発明の第６の実施の形態は、請求項１の実施の形態における太陽電池モジュールにおいて、太陽電池セルの基体が、ステンレスまたはアルミニウム合金等の金属からなるものである。このように、剛性の高いまた耐候性に優れた材料を使用することにより、信頼性を向上させることができる。
【００４０】
本発明の第７の実施の形態による太陽電池モジュールは、可撓性（フレキシビリティー）のある薄膜金属基体を有した太陽電池セルの受光面側に可撓性のあるフロントカバーが配され、該フロントカバーと前記太陽電池セルとの間に充填樹脂層を設けた構成において、前記充填樹脂層の外周縁部で、前記フロントカバーの端部と前記太陽電池セルの端部に形成した絶縁層との間を、耐湿絶縁性能を有する封止材で封止したものである。このように、薄膜金属基体の防水性を利用しバックカバーの機能を代替させ、モジュール構成をシンプルにすることが出来る。また、可撓性のある太陽電池モジュールにフレームを取り付けるに際し、封止材を太陽電池セルの外周縁端部上に設け、太陽電池モジュールの端面を開放端にして取り付けることにより発電有効面積を拡大することができる。従って、軽量で低コスト、且つモジュール効率の高い太陽電池モジュールが得られる。
【００４１】
本発明の第８の実施の形態は、請求項７の実施の形態における太陽電池モジュールにおいて、太陽電池モジュールの周縁をモジュール枠で組み付け固定する際に、前記太陽電池モジュールと、前記モジュール枠と、前記封止材の弾性を利用して共締めするものである。つまり、封止材の弾性を利用することにより、太陽電池モジュールとモジュール枠との密着性を図ることができる。
【００４２】
本発明の第９の実施の形態は、請求項８の実施の形態における太陽電池モジュールにおいて、モジュール枠を反受光面側に曲げて、枠周辺部位（部分）の受光面積を広くしたものである。これにより、受光面の外周縁部がモジュール枠で遮蔽されないため効率の高い太陽電池モジュールを提供できるものである。
【００４３】
本発明の第１０の実施の形態は、請求項９の実施の形態における太陽電池モジュールにおいて、モジュール枠を反受光面側に９０度の角度で曲げたものである。
【００４４】
本発明の第１１の実施の形態は、請求項７の実施の形態における太陽電池モジュールにおいて、太陽電池セルの光吸収層が、Ｃｕと、ＩｎおよびＧａから選ばれる少なくとも１つの元素と、ＳｅおよびＳから選ばれる少なくとも１つの元素とを含むものである。
【００４５】
本発明の第１２の実施の形態は、請求項７の実施の形態における太陽電池モジュールにおいて、太陽電池セルの基体が、ステンレスまたはアルミニウム合金等の金属からなるものである。これにより、剛性の高いまた耐候性に優れた材料を使用することにより、信頼性の高い太陽電池モジュールが得られる。
【００４６】
本発明の第１３の実施の形態による太陽電池モジュールは、可撓性（フレキシビリティー）のある薄膜金属基体を有した太陽電池セルの受光面側に可撓性のあるフロントカバーを配し、該フロントカバーと前記太陽電池セルを真空密着させた構成とし、前記フロントカバーの端部と前記太陽電池セルの端部に形成した絶縁層との間を、耐湿絶縁性能を有する封止材で封止したものである。このように、薄膜金属基体の防水性を利用しバックカバーの機能を代替させ、また前記太陽電池セルの表面平坦性を利用し真空密着させることにより、モジュール構成をシンプルにすることが出来る。また、可撓性のある太陽電池モジュールにフレームを取り付けるに際し、封止材を太陽電池セルの外周縁端部上に設け、太陽電池モジュールの端面を開放端にして取り付けることにより発電有効面積を拡大することができる。従って、軽量で低コスト、且つモジュール効率の高い太陽電池モジュールが得られる。
【００４７】
本発明の第１４の実施の形態は、請求項１３の実施の形態における太陽電池モジュールにおいて、太陽電池モジュール本体の各端辺毎に封止材の外側で弾性封止材を介してモジュール枠を挿入し、該モジュール枠と、前記弾性封止材と、前記太陽電池モジュール本体を共締めしたものである。つまり、封止材の弾性を利用することにより、太陽電池モジュールとモジュール枠との密着性を図ることができる。
【００４８】
本発明の第１５の実施の形態は、請求項１４の実施の形態における太陽電池モジュールにおいて、モジュール枠を反受光面側に曲げて、枠周辺部位（部分）の受光面積を広くするものである。これにより、受光面の外周縁部がモジュール枠で遮蔽されないため効率の高い太陽電池モジュールを提供できるものである。
【００４９】
本発明の第１６の実施の形態は、請求項１３の実施の形態における太陽電池モジュールにおいて、モジュール枠を反受光面側に９０度の角度で曲げたものである。
【００５０】
本発明の第１７の実施の形態は、請求項１３の実施の形態における太陽電池モジュールにおいて、太陽電池セルの光吸収層が、Ｃｕと、ＩｎおよびＧａから選ばれる少なくとも１つの元素と、ＳｅおよびＳから選ばれる少なくとも１つの元素とを含むものである。
【００５１】
本発明の第１８の実施の形態は、請求項１３の実施の形態における太陽電池モジュールにおいて、太陽電池セルの基体が、ステンレスまたはアルミニウム合金等の金属からなるものである。これにより、剛性の高いまた耐候性に優れた材料を使用することにより、信頼性を向上できる。
【００５２】
本発明の第１９の実施の形態による太陽電池モジュールは、可撓性（フレキシビリティー）のある薄膜金属基体を有した太陽電池セルの受光面側に可撓性のあるフロントカバーと、その反対側に可撓性のあるバックカバーが配され、前記フロントカバーおよびバックカバーと、前記太陽電池セルを真空密着させる構成とし、前記フロントカバーの周縁部と前記太陽電池セルに形成した絶縁層の周縁部との間、および前記バックカバーの周縁部と前記太陽電池セルの前記薄膜金属基体の周縁部との間を、耐湿絶縁性能を有する封止材で封止したことを特徴とする太陽電池モジュール。
【００５３】
本発明の第２０の実施の形態は、請求項１９の実施の形態における太陽電池モジュールにおいて、太陽電池セルの光吸収層が、Ｃｕと、ＩｎおよびＧａから選ばれる少なくとも１つの元素と、ＳｅおよびＳから選ばれる少なくとも１つの元素とを含むものである。
【００５４】
本発明の第２１の実施の形態による太陽電池モジュール枠は、太陽電池モジュールの周縁をモジュール枠で組み付け固定する際に、可撓性（フレキシビリティー）のある薄膜金属基体を有した太陽電池セルで構成された太陽電池モジュールの周縁部から、中央部に向かって受光面側に膨らみを持たせ、排水勾配を配したことを特徴とする。このように、前記太陽電池モジュール中央部を受光面側に膨らみをもたせた凸形状にすることにより、雨や雪が溜まることを防ぐことができる。
【００５５】
本発明の第２２の実施の形態は、請求項２１の実施の形態における太陽電池モジュール枠において、太陽電池モジュールの反受光面側から受光面側に向かって、膨らみを設定する補強手段を備えたことを特徴とする。
【００５６】
以下、本発明の実施例について図面を参照しながら説明する。なお、以下の実施例では、基体としてステンレスシートを用いているが、デュラルミンなどのアルミニウム化合物からなる基体を用いてもよい。
【００５７】
【実施例】
（実施例１）
図１は本発明の一実施例による太陽電池モジュールの平面図、図２は同太陽電池モジュールの周辺端部を示すＡ−Ａ断面図、図３は同太陽電池モジュールの断面の詳細図Ａ１である。図１から図３に示すように、基体１は、可撓性を有する厚さ５０μｍのステンレスシートであり、その両面にディップ・コート法によって、ＳｉＯ２層の絶縁層２を形成し、次にＲＦスパッタリングによって、受光面側の前記絶縁層２上に、Ｍｏ層の裏面電極層３を成膜している。
【００５８】
次に、蒸着法によってＰ形半導体膜のＣｕ（Ｉｎ，Ｇａ）Ｓｅ２層の光吸収層４を成膜した後、Ｃｕ（Ｉｎ，Ｇａ）Ｓｅ２層上に、化学浴析出法によってＣｄＳ層の第１の半導体層５を成膜し、これによってｐｎ接合を形成している。そして、ＺｎＯ層の第２の半導体層６と、ＩＴＯ層の透明導電層７とをスパッタリング法で順次形成した。そして、各成膜をする製造工程の間でパターニングを行ない、直列に接続した複数のユニットセル１５を形成した集積構造とし、その両端辺の裏面電極層３上に電極取出用の導電体８を形成したものが薄膜の太陽電池セル９である。この太陽電池セル９の受光面側に、可撓性のあるフッ素系樹脂のフロントカバー１０を、その反対側に可撓性のあるアルミ入りテドラーのバックカバー１１を配し、各カバーと前記太陽電池セル９との間にＥＶＡの充填樹脂層１２を挟む。そして、前記太陽電池セル９の外周端部の外側にフッ素系樹脂のフロントカバー１０とステンレスシートの基体１の間、また基体１とバックカバー１１の間にブチルゴムの封止材１３を塗布し、ラミネート加工を施したものが薄膜の太陽電池モジュール本体１４ａである。つまり、前記絶縁層２の外周縁部上に封止材１３を取り付けることにより、太陽電池モジュール１４ａの周辺端部からの水の侵入を封止することが可能となる。そのため、前記太陽電池セル９の端面を別途防水処理を施さなくてもよく、その端面を開放形状にできるため、モジュール枠に挿入する際、掛かり代部分が少なくて済むため、発電有効面積が広くとれる構成としたものである。
【００５９】
ここで、太陽電池モジュール１４ａの各端辺毎に封止材１３の部分をアルミ製のモジュール枠１６内に挿入し、カシメて取り付ける。そして、各辺の前記モジュール枠１６を反受光面側に直角に曲げて、各辺の前記モジュール枠１６をネジ止め固定したものが枠つき太陽電池モジュール枠１７ａである。このようにして可撓性のある前記太陽電池セル９においても剛性のあるモジュール枠１６を取り付ける際にも、更に発電有効面積を拡大する構成として前記枠つき太陽電池モジュール１７枠ａを、屋根材や壁材等の建材にネジ止め固定できる。
なお、モジュール枠１６の材質は、アルミ製に限定するものではなく樹脂等の非金属材料であってもよい。
【００６０】
（実施例２）
図４は同バックカバーなしの太陽電池モジュールの平面図、図５は同バックカバーなしの太陽電池モジュールの周辺端部を示すＢ−Ｂ断面図、図６は同バックカバーなしの太陽電池モジュールの断面の詳細図Ｂ１である。図４から図６に示すように、基体１の下部に太陽電池セル９の受光面側に可撓性のあるフッ素系樹脂のフロントカバー１０を配し、該フロントカバー１０と前記太陽電池セル９との間にＥＶＡの充填樹脂層１２を挟み、その充填樹脂層１２の外周縁部の外側にフッ素系樹脂のフロントカバー１０とステンレスシートの基体１の間にブチルゴムの封止材１３を塗布し、ラミネート加工を施したものが太陽電池モジュール１４ｂである。ここで、実施例１に記載の図３との相違点は、バックカバー１１がなく、そのバックカバー１１と基体１との間のＥＶＡの充填樹脂層１２と封止材１３も設けていないことである。これは、吸水および吸湿性のないステンレスという薄板金属皮膜の特性を利用したものである。このため、バックカバー１１をを除去することができる。
【００６１】
また、実施例１と同様に、発電有効面積が広くとれる構成としたものである。
【００６２】
また、実施例１と同様に、太陽電池モジュール１４ｂの各端辺毎に封止材１３の部分をアルミ製のモジュール枠１６内に挿入し、カシメて取り付ける。そして、各辺のモジュール枠１６を反受光面側に直角に曲げて、各辺のモジュール枠１６をネジ止め固定したものが枠つき太陽電池モジュール枠１７ｂである。このようにして可撓性のある太陽電池セル９においても剛性のあるモジュール枠１６を取り付ける際にも、更に発電有効面積を拡大する構成として枠つき太陽電池モジュール１７ｂを、屋根材や壁材等の建材にネジ止め固定できる。
【００６３】
（実施例３）
図７は同フロントカバーを真空密着、バックカバーなしの太陽電池モジュールの平面図、図８は同フロントカバーを真空密着、バックカバーなしの太陽電池モジュールの周辺端部を示すＣ−Ｃ断面図、図９は同フロントカバーを真空密着、バックカバーなしの太陽電池モジュールの断面の詳細図Ｃ１である。図７から図９に示すように、太陽電池セル９の受光面側に可撓性のあるフッ素系樹脂のフロントカバー１０を配し、太陽電池セル９の周辺部でフッ素系樹脂のフロントカバー１０とステンレスシートの基体１の間にブチルゴムの封止材１３を塗布する。そして、太陽電池セル９と、その周辺部に設けた封止材１３の上に配置したフロントカバー１０の空間を真空状態にしながら、ラミネート加工装置により、フロントカバー１０に圧力をかけると、フロントカバー１０は封止材１３と太陽電池セル９に完全密着するという方法による真空密着により、太陽電池セル９とフッ素系樹脂材のフロントカバー１０を接着させたものが太陽電池モジュール１４ｃである。ここで、実施例２に記載の図６との相違点は、真空密着によりフロントカバー１０と基体１との間のＥＶＡの充填樹脂層２を設けていないことである。
【００６４】
このように、吸水および吸湿性のないステンレスという薄板金属皮膜の特性を利用させ、且つ、従来のバルク型シリコン太陽電池モジュールの場合には、複数の太陽電池セルを接続して電圧を加算するため、セル間にギャップが生じる集積構造に比べ、太陽電池セル内部で電圧の集積構造になっている太陽電池モジュールでは、表面が平坦化されるので、太陽電池セル９表面の平坦性を利用してフロントカバー１０を直接真空密着することが可能となる。つまり、ラミネート加工装置により、太陽電池セル９と、その周辺部に設けた封止材１３の上に配置したフロントカバー１０との空間の空気を抜いて真空状態にし、ラミネート加工の樹脂薄膜でフロントカバーに徐々に圧力をかけると、フロントカバー１０は封止材１３を押圧して、封止材１３と太陽電池セル９に完全密着する。これより、充填樹脂のＥＶＡを用いることなく太陽電池モジュール１４ｃを構成することができる。
【００６５】
それにより、フロントカバー１０が耐候性等により性能劣化した場合、フロントカバー１０を容易に引き剥がしてフロントカバーを分離することができ、太陽電池モジュール１４ｃの構成部品を再利用することが可能になる。また、太陽電池モジュール１４ｃを廃棄する際においても、フロントカバー１０を太陽電池セル１４ｃから剥がし、太陽電池セル１４ｃ上の化合物を化学的に分離し、それぞれを材料としての再利用が可能となる。以上から、構成部品としての再利用および材料としての再利用という両方の面において、リサイクル性の高い太陽電池モジュール１４ｃを提供することができる。つまり、従来はリサイクル段階では充填樹脂のＥＶＡにより、フロントカバーと太陽電池セルとが分離でき無かったが、ＥＶＡの使用をなくすことにより、材料の分離が容易になりリサイクルに配慮した商品を提供することができる。
【００６６】
また、実施例１と同様に、発電有効面積が広くとれる構成としたものである。
【００６７】
また、実施例１と同様に、太陽電池モジュール１４ｃの各端辺毎に封止材の部分をアルミ製のモジュール枠１６内に挿入し、カシメて取り付ける。そして、各辺のモジュール枠１６を反受光面側に直角に曲げて、各辺のモジュール枠１６をネジ止め固定したものが枠つき太陽電池モジュール枠１７ｃである。このようにして可撓性のある太陽電池セル９においても剛性のあるモジュール枠１６を取り付ける際にも、発電有効面積を拡大する構成として枠つき太陽電池モジュール枠１７ｃを、屋根材や壁材等の建材にネジ止め固定できる。
【００６８】
（実施例４）
図１０は同フロントカバーとバックカバーを真空密着する太陽電池モジュールの断面の詳細図Ｄである。これは、太陽電池セル９の受光面側に、可撓性のあるフッ素系樹脂のフロントカバー１０を、その反対側に可撓性のある樹脂系材料のバックカバー１１を配したものである。これは、本実施例４も実施例３と同様に接着材ＥＶＡを使用しなく真空密着するものであり、図９に対して、太陽電池セル９の反受光面側に可撓性のある樹脂系材料のバックカバー１１を配し、太陽電池セル９の周辺部で樹脂系材料のバックカバー１１とステンレスシートの基体１の間にブチルゴムの封止材１３を塗布したものである。これにより、塩害地域においては、ステンレスの基体１を塩素等による腐蝕から保護することができる。
【００６９】
なお、バックカバーは、可撓性としているが、樹脂硬度（軟、中、硬）の中から適宜選択するものとする。一方、強度面からも適宜厚みを選定するものとする。また、実施例１と同様に、発電有効面積が広くとれる構成としたものである。
【００７０】
（実施例５）
図１１同実施例５の枠つき太陽電池モジュールを示す構成図、図１２同実施例５の枠つき太陽電池モジュールの周辺端部を示すＥ−Ｅ断面図である。図１１及び図１２に示すように、前記枠つき太陽電池モジュール１７の反受光面側に短辺モジュール枠と長辺モジュール枠の少なくともどちらか一方と平行に少なくとも一本以上の中央がフロントカバー１０より突出したアルミ製のモジュール枠３１を設ける。
【００７１】
上記構成において、前記枠つき太陽電池モジュール１７中央部を受光面側に凸形状に傾斜させる。このようにして、雨や雪が溜まることを防ぎ、信頼性を向上させることができる。
【００７２】
（実施例６）
図１３同実施例６の枠つき太陽電池モジュールを示す構成図、図１４同実施例６の枠つき太陽電池モジュールの周辺端部を示すＦ−Ｆ断面図である。図１３及び図１４に示すように、実施例１と同様に枠つき太陽電池モジュール１７を作製した。（以下、実施例１と同一箇所には同符号を付し詳細な説明は省略する）次に、枠つき太陽電池モジュール１７の反受光面側にＲ形状の２本のステンレス棒（φ１０）を×形状に溶接した補強部材Ａ３２を対角上にモジュール枠１６に嵌め込む。上記構成において、枠つき太陽電池モジュール１７中央部を受光面側に凸形状に傾斜させる。このようにして、雨や雪が溜まることを防ぎ、低コストで信頼性を向上させることができる。上記構成において、モジュール枠１６を適正な長さに切断し、精度良くラミネート後の太陽電池モジュール１４ｃに取り付けることにより、可撓性のある太陽電池モジュール１４ｃをピンと張り、凧状の枠つき太陽電池モジュール１７ｃとする。
【００７３】
（実施例７）
図１５及び図１６に示すように、実施例１と同様に枠つき太陽電池モジュール１７を作製した。（以下、実施例１と同一箇所には同符号を付し詳細な説明は省略する）次に、枠つき太陽電池モジュール１７の反受光面側に複数本のＲ形状のステンレス棒（φ１０）を格子状に溶接した補強部材Ｂ３３をモジュール枠１６に嵌め込む。上記構成において、枠つき太陽電池モジュール１７中央部を受光面側に凸形状に傾斜させる。このようにして、雨や雪が溜まることを防ぎ、低コストで信頼性を向上させることができる。
【００７４】
【発明の効果】
以上の実施例から明らかなように本発明によれば、可撓性のある薄膜の太陽電池モジュールにフレームを取り付けるに際し、封止材を太陽電池セルの外周縁端部上に設け、太陽電池モジュールの周辺端部からの水の侵入を封止することが可能となるため、前記太陽電池セル９の端面を別途防水処理を施さなくてもよく、その端面を開放形状にでき掛かり代部分が少なくて済み、発電有効面積を広くとれる太陽電池モジュールを提供することができる。
【００７５】
また、従来は充填樹脂のＥＶＡの使用により、フロントカバーと太陽電池セルとが分離でき無かったが、真空密着方法により、フロントカバーおよびバックカバーをＥＶＡの使用しなくて接着できることから、耐候性等により性能劣化したときに太陽電池モジュールの構成部品を再利用する場合、また、太陽電池モジュールを廃棄する際においても、構成部品としての再利用および材料としての再利用という両方の面において、リサイクル性の高い太陽電池モジュールを提供することができる。
【００７６】
また、モジュール勾配機構である膨らみを設定する補強手段を備えることにより、雨や雪が溜まることを防ぐ枠つき太陽電池モジュールを提供することができる。
【図面の簡単な説明】
【図１】本発明の一実施例による太陽電池モジュールの平面図
【図２】同太陽電池モジュールの周辺端部を示すＡ−Ａ断面図
【図３】同太陽電池モジュールの断面の詳細図Ａ１を示す図
【図４】同バックカバーなしの太陽電池モジュールの平面図
【図５】同バックカバーなしの太陽電池モジュールの周辺端部を示すＢ−Ｂ断面図
【図６】同バックカバーなしの太陽電池モジュールの断面の詳細図Ｂ１を示す図
【図７】同フロントカバーを真空密着、バックカバーなしの太陽電池モジュールの平面図
【図８】同フロントカバーを真空密着、バックカバーなしの太陽電池モジュールの周辺端部を示すＣ−Ｃ断面図
【図９】同フロントカバーを真空密着、バックカバーなしの太陽電池モジュールの断面の詳細図Ｃ１を示す図
【図１０】同フロントカバーとバックカバーを真空密着する太陽電池モジュールの断面の詳細図Ｄを示す図
【図１１】本発明による実施例５の枠つき太陽電池モジュールを示す構成図
【図１２】本発明による実施例５の枠つき太陽電池モジュールの周辺端部を示すＥ−Ｅ断面図
【図１３】本発明による実施例６の枠つき太陽電池モジュールを示す構成図
【図１４】本発明による実施例６の枠つき太陽電池モジュールの周辺端部を示すＦ−Ｆ断面図
【図１５】本発明による実施例７の枠つき太陽電池モジュールを示す構成図
【図１６】本発明による実施例７の枠つき太陽電池モジュールの周辺端部を示すＧ−Ｇ断面図
【図１７】従来の太陽電池モジュールの周辺端部を示す基体ありの表面フィルム構造の断面図
【図１８】従来の太陽電池モジュールの周辺端部を示す基体なしの表裏フィルム構造の断面図
【図１９】従来の太陽電池モジュールの周辺端部を示す基体なしの不活性部材封止構造の断面図
【符号の説明】
１　　　基体
２　　　絶縁層
３　　　裏面電極層
４　　　光吸収層
５　　　第１の半導体層
６　　　第２の半導体層
７　　　透明導電層
８　　　導電体
９　　　太陽電池セル
１０　　フロントカバー
１１　　バックカバー
１２　　充填樹脂層
１３　　封止材
１４ａ　太陽電池モジュールａ
１４ｂ　太陽電池モジュールｂ
１４ｃ　太陽電池モジュールｃ
１５　　セルユニット
１６　　モジュール枠
１７　　枠つき太陽電池モジュール
１７ａ　枠つき太陽電池モジュールａ
１７ｂ　枠つき太陽電池モジュールｂ
１７ｃ　枠つき太陽電池モジュールｃ
３１　　フレーム
３２　　補強部材Ａ
３３　　補強部材Ｂ
【図１】
2004146435.tif 000003
【図２】
2004146435.tif 000004
【図３】
2004146435.tif 000005
【図４】
2004146435.tif 000006
【図５】
2004146435.tif 000007
【図６】
2004146435.tif 000008
【図７】
2004146435.tif 000009
【図８】
2004146435.tif 000010
【図９】
2004146435.tif 000011
【図１０】
2004146435.tif 000012
【図１１】
2004146435.tif 000013
【図１２】
2004146435.tif 000014
【図１３】
2004146435.tif 000015
【図１４】
2004146435.tif 000016
【図１５】
2004146435.tif 000017
【図１６】
2004146435.tif 000018
【図１７】
2004146435.tif 000019
【図１８】
2004146435.tif 000020
【図１９】
2004146435.tif 000021